(57)【要約】      （修正有）【課題】一般の縫製装置を使用するだけで、台座と釣り用バッグ本体との縫着結合を実現することができ、専門の縫製装置を購入するコストを低減させるとともに、釣り用バッグの設計空間を増加させ、釣り用バッグの製造に便利な台座を提供する。【解決手段】釣り用バッグに用いられる台座１において、台座は、シャーシ２０と中空の固定座１０とを含み、固定座の一端と釣り用バッグ本体は、縫着によって結合されており、シャーシと固定座の他端は、取り外し可能に連結されている。釣り用バッグ本体の全体を縫製装置に接合する必要はなく、釣り用バッグ本体の底端及び固定座のみを縫製装置に接合してすむ。したがって、専門の縫製装置を使用する必要がない。【選択図】図１
0003210666.tif 000002
【実用新案登録請求の範囲】
【請求項１】
釣り用バッグ本体と台座とを備えた釣り用バッグに用いられる台座において、前記台座は、シャーシと中空の固定座とを含み、前記固定座の一端と前記釣り用バッグ本体は、縫着によって結合されており、前記シャーシと前記固定座の他端は、取り外し可能に連結されていることを特徴とする釣り用バッグに用いられる台座。
【請求項２】
前記シャーシと前記固定座の他端は、係合によって連結されていることを特徴とする請求項１に記載の釣り用バッグに用いられる台座。
【請求項３】
前記固定座には、係止部材が固定されており、前記シャーシには、係止開口が開けられており、前記固定座と前記シャーシは、前記係止部材及び前記係止開口によって係合連結されていることを特徴とする請求項２に記載の釣り用バッグに用いられる台座。
【請求項４】
前記固定座の内面には、第１の位置決め柱が固定されており、前記シャーシには、前記第１の位置決め柱に対応する第２の位置決め柱が固定されており、前記第２の位置決め柱の頂部には、位置決め穴が開けられており、前記シャーシを前記固定座に挿入すると、前記第１の位置決め柱が、前記位置決め穴に挿入され位置決められ、前記係止部材が、前記係止開口に係入されることを特徴とする請求項３に記載の釣り用バッグに用いられる台座。
【請求項５】
前記第１の位置決め柱には、ストッパーが固定されており、前記第１の位置決め柱が前記位置決め穴に挿入されると、前記ストッパーは、前記第１の位置決め柱の前記位置決め穴への挿入深さを限定するために用いられることを特徴とする請求項４に記載の釣り用バッグに用いられる台座。
【請求項６】
前記シャーシと前記固定座の他端は、ねじによって連結されていることを特徴とする請求項１に記載の釣り用バッグに用いられる台座。
【請求項７】
前記固定座には、連結シートが設けられており、前記固定座は、前記連結シートによって前記釣り用バッグの底端に縫着結合されていることを特徴とする請求項３〜６の何れか一項に記載の釣り用バッグに用いられる台座。
【請求項８】
前記シャーシの底部には、複数の支持脚が固定されていることを特徴とする請求項７に記載の釣り用バッグに用いられる台座。
【請求項９】
前記支持脚の底部には、滑り防止パターンが設けられていることを特徴とする請求項８に記載の釣り用バッグに用いられる台座。
【請求項１０】
請求項１〜９の何れか一項に記載の釣り用バッグに用いられる台座を備えることを特徴とする釣り用バッグ。
【考案の詳細な説明】
【技術分野】
【０００１】
本考案は、釣具の技術分野に関し、特に、釣り用バッグに用いられる台座及び釣り用バッグに関する。
【背景技術】
【０００２】
魚釣りは、レジャー、娯楽、競技を一体とする野外活動である。身体が鍛えられるだけでなく、人々の情操を豊かにすることができるので、幅広い愛好家に大変人気がある。釣り竿、釣り糸及び釣り針は、釣りのための必要な釣具であり、便利に持ち運ぶために、一般、これらの釣具を釣り用バッグに入れる必要がある。
【０００３】
従来の釣り用バッグは、太い胴部を有する硬質の釣竿ケースのように、収容キャビティーが直方体であり、長さが１メートル以上に達することもあり、それは釣り用バッグ本体と台座とを備え、台座が縫着によって釣り用バッグ本体の底部に結合されていることが多い。このような長く硬質の釣り用バッグの加工は、煩わしく、釣り用バッグ本体の底部を押し開けて縫製装置によって台座を釣り用バッグの底部に縫着するようにして、釣り用バッグ本体を上部から縫製装置に貫入する必要がある。釣り用バッグは、縫製装置に全体的に接合され、且つ釣り用バッグが長いため、縫製装置の長さも長く設計されなければ、釣り用バッグの長さに適合しない。即ち、専門の縫製装置を使用する必要がある。しかし、このような専門の縫製装置は、多くの作業空間を占めると共に、専門の縫製装置は、製造時に一定の制限を受けるものであり、装置が長すぎると製造ができない。こうして、とても長い硬質の釣り用バッグが製造できないと共に、専門の縫製装置を購入するコストが高くなっている。
【考案の概要】
【０００４】
上述した従来技術の不足を克服するために、本考案の主な目的は、釣り用バッグの台座を通して縫製装置を貫入し、占められる作業空間を減少させ、コストを低減させることができる釣り用バッグの台座を提供することにある。
【０００５】
上記の目的を実現するために、本考案は、具体的に以下の技術的手段を採用する。
【０００６】
本考案は、釣り用バッグ本体と台座とを備えた釣り用バッグに用いられる台座において、前記台座は、シャーシと中空の固定座とを含み、前記固定座の一端と前記釣り用バッグ本体は、縫着によって結合されており、前記シャーシと前記固定座の他端は、取り外し可能に連結されている釣り用バッグに用いられる台座を提供する。
【０００７】
前記シャーシと前記固定座の他端は、係合によって連結されていることが好ましい。
【０００８】
前記固定座には、係止部材が固定されており、前記シャーシには、係止開口が開けられており、前記固定座と前記シャーシは、前記係止部材及び前記係止開口によって係合連結されていることが好ましい。
【０００９】
前記固定座の内面には、第１の位置決め柱が固定されており、前記シャーシには、前記第１の位置決め柱に対応する第２の位置決め柱が固定されており、前記第２の位置決め柱の頂部には、位置決め穴が開けられており、前記シャーシを前記固定座に挿入すると、前記第１の位置決め柱が、前記位置決め穴に挿入され位置決められ、前記係止部材が、前記係止開口に係入されることが好ましい。
【００１０】
前記第１の位置決め柱には、ストッパーが固定されており、前記第１の位置決め柱が前記位置決め穴に挿入されると、前記ストッパーは、前記第１の位置決め柱の前記位置決め穴への挿入深さを限定するために用いられることが好ましい。
【００１１】
前記シャーシと前記固定座の他端は、ねじによって連結されていることが好ましい。
【００１２】
前記固定座には、連結シートが設けられており、前記固定座は、前記連結シートによって前記釣り用バッグの底端に縫着結合されていることが好ましい。
【００１３】
前記シャーシの底部には、複数の支持脚が固定されていることが好ましい。
【００１４】
前記支持脚の底部には、滑り防止パターンが設けられていることが好ましい。
【００１５】
以上を踏まえつつ、本考案は、上述した釣り用バッグに用いられる台座を備える釣り用バッグを更に提供する。
【００１６】
従来技術と比べると、本考案は、釣り用バッグの台座がシャーシと中空の固定座とを備え、台座と釣り用バッグの底端を結合することが必要な際に、固定座の一端を釣り用バッグ本体の底端に合わせ、縫製装置を前記固定座から前記釣り用バッグ本体に貫入し、釣り用バッグ本体と前記固定座が連結する箇所に縫着を行うことで、前記固定座と前記釣り用バッグ本体を固定連結させる。中空の固定座を採用したので、縫製装置を固定座から釣り用バッグ本体に貫入し、釣り用バッグ本体の全体を縫製装置に接合することではなく、釣り用バッグ本体の底端及び固定座のみを縫製装置に接合することで済む。したがって、専門の縫製装置を使用する必要がなく、一般の縫製装置を使用するだけで、台座と釣り用バッグ本体との縫着結合を実現することができる。即ち、縫製装置は釣り用バッグ本体の長さに適合するように設置される必要がなくなり、釣り用バッグの設計空間を増加させ、硬質の釣り用バッグの製造に便利であると共に、専門の装置を購入するコストを低減させる。また、固定座とシャーシが取り外し可能に連結されるという構造を採用することで、釣り用バッグの台座の取り替えも利便になる。
【図面の簡単な説明】
【００１７】
【図１】本考案の実施例の台座の構造模式図である。
【図２】本考案の実施例の固定座の構造模式図である。
【図３】本考案の実施例のシャーシの構造模式図である。
【図４】本考案に係る釣り用バッグの構造模式図である。
【考案を実施するための形態】
【００１８】
本考案の目的、技術的手段及び利点をよりはっきりと明確にするために、以下、図面及び実施例によって、本考案をさらに詳細に説明する。ここで述べる具体的な実施例は、本考案を解釈するためのものに過ぎず、本考案を限定するためのものではないと理解すべきである。
【００１９】
本考案は、図１、図２及び図３に示すように、中空の形態であって互いに固定連結されている六つの側面が設けられている固定座１０と、固定座１０に取り外し可能に連結されるシャーシ２０とを含む釣り用バッグに用いられる台座１を提供する。シャーシ２０は、互いに連結される六つの側面と一つの底面とを含み、シャーシ２０の六つの側面がそれぞれ固定座１０の六つの側面に対応している。
【００２０】
固定座１０の上端には、連結シート１０３が設けられており、固定座１０と釣り用バッグ本体の結合が必要な際には、連結シート１０３を編みテープで一層包んだ後に、釣り用バッグ本体の底端に接合し、縫製装置によって連結シート１０３を釣り用バッグ本体の底端に縫着する。連結シート１０３と釣り用バッグ本体の下端を便利に縫着結合するように、連結シート１０３が、固定座１０における他の箇所よりも薄く設置されている。
【００２１】
固定座１０の六つの内側面には、いずれも二つの係止部材１０１がそれぞれ固定されている。係止部材１０１は、「Ｌ」形に設置されており、その上端が固定座１０の内側面に固定連結されている。六つの側面における隣り合う二つの側面が接している箇所には、いずれも第１の位置決め柱１０２が固定されており、位置決め柱１０２の上端には、ストッパー１０２１が固定されている。
【００２２】
シャーシ２０の六つの側面には、係止部材１０１に一対一で対応する係止開口２０１がそれぞれ設けられている。シャーシ２０の六つの側面における隣り合う二つの側面が接している箇所には、第１の位置決め柱１０２に一対一で対応する第２の位置決め柱２０２が固定されている。第２の位置決め柱２０２の頂端には、位置決め穴２０２１が開けられている。シャーシ２０を固定座１０に挿入してシャーシ２０と固定座１０との係合連結を実現すると、第１の位置決め柱１０２が第２の位置決め柱２０２の頂端の位置決め穴２０２１に挿入されて位置決めが実現される。ストッパー１０２１は、第１の位置決め柱１０１の位置決め穴２０２１への挿入深さを制限するために用いられる。各係止部材１０１の下端は、それぞれ各係止開口２０１に対応して係入され、固定座１０とシャーシ２０との係合連結が実現される。
【００２３】
他の実施例では、固定座とシャーシは、いずれも円形に設置されており、固定座とシャーシは、ねじによって連結されている。
【００２４】
また、釣り場は、通常、地面が柔らかく湿っぽいので、より良く防腐、防水ができ、また、釣り用バッグをより安定的に置くことができるように、シャーシ２０の底面には、四つの支持脚２０３が更に固定されており、支持脚２０３の底面には、滑り防止パターン２０３１が設けられている。
【００２５】
図３に示されるような釣り用バッグは、上述した台座１と釣り用バッグ本体２とを備え、釣り用バッグ本体２と固定座１０が縫着によって結合されており、シャーシ２０と固定座１０が係合によって連結されている。
【００２６】
以上に述べたのは、本考案の好ましい具体的な実施方式に過ぎないが、本考案の保護範囲はこれに限られるものではない。当業者は、本考案に記載される技術的範囲内に容易に想到できる変更や置換は、いずれも本考案の保護範囲内に含まれるべきである。したがって、本考案の保護範囲は、請求項の保護範囲を準拠とするものとする。
【符号の説明】
【００２７】
１  ：  台座
１０  ：  固定座
１０１  ：  係止部材
１０２  ：  第１の位置決め柱
１０２１  ：  ストッパー
１０３  ：  連結シート
２０  ：  シャーシ
２０１  ：  係止開口
２０２  ：  第２の位置決め柱
２０２１  ：  位置決め穴
２０３  ：  支持脚
２０３１  ：  滑り防止パターン
２  ：  釣り用バッグ本体 
【図１】
0003210666.tif 000003
【図２】
0003210666.tif 000004
【図３】
0003210666.tif 000005
【図４】
0003210666.tif 000006